(57)【要約】【課題】  操作認可情報が設定された画像データの印刷設定情報が前記操作認可情報に対する印刷条件を満たす場合に印刷出力を許可することで画像データに対して意図しない印刷出力が行われることを防止できるようにした印刷制御装置および印刷制御プログラムを提供する。【解決手段】  プリントサーバ１０１では、クライアントＰＣ１０３から印刷要求された画像データをプリントサーバ１０１が受信し、その画像データに対して設定されたライセンス情報をライセンス情報管理サーバ１０２から取得する。前記画像データの印刷設定情報が取得したライセンス情報に対応する印刷条件を満たす場合にその印刷設定情報に基づく印刷出力を印刷装置１０４に印刷指示する。【選択図】図１
2010066977.tif 000002
【特許請求の範囲】
【請求項１】
操作許可範囲を定めた操作認可情報が設定された画像データの印刷要求を受け付ける受付手段と、
前記受付手段で受け付けた印刷要求に係わる画像データの印刷出力が当該操作認可情報に対する印刷設定情報の印刷条件を満たすかを判定する条件判定手段と、
前記条件判定手段による判定結果に基づいて前記画像データの印刷出力を制御する印刷制御手段と
を具備する印刷制御装置。
【請求項２】
前記印刷制御手段は、
前記条件判定手段により前記画像データの印刷出力が前記印刷条件を満たすと判断された場合は、該画像データに設定された印刷設定情報による印刷出力を許可し、前記条件判定手段により前記画像データの印刷設定情報が前記印刷条件を満たさないと判断された場合は該画像データの印刷出力を禁止する制御を行う請求項１記載の印刷制御装置。
【請求項３】
前記画像データの操作認可情報に対して前記印刷条件が設定されていない場合は、前記画像データの印刷出力を禁止する請求項１記載の印刷制御装置。
【請求項４】
前記印刷条件は、
印刷出力を許可するために満たさなければならない第１の印刷条件および印刷出力を許可するために満たしてはいけない第２の印刷条件が設定され、
前記条件判断手段は、
前記第１の印刷条件および前記第２の印刷条件の両者が成立した場合にのみ、該印刷条件を満たす印刷要求であると判定する請求項１記載の印刷制御装置。
【請求項５】
前記画像データ上の任意の表示位置に操作認可情報画像が表示され、
前記印刷制御手段は、
前記操作認可情報画像が前記画像データと重複しない場合に前記画像データの印刷出力を許可する請求項１乃至４のいずれかに記載の印刷制御装置。
【請求項６】
コンピュータを、
操作許可範囲を定めた操作認可情報が設定された画像データの印刷要求を受け付ける受付手段、
前記受付手段で受け付けた印刷要求に係わる画像データの印刷出力が当該操作認可情報に対する印刷設定情報の印刷条件を満たすかを判定する条件判定手段、
前記条件判定手段による判定結果に基づいて前記画像データの印刷出力を制御する印刷制御手段
として機能させる印刷制御プログラム。
【発明の詳細な説明】
【技術分野】
【０００１】
本発明は、印刷制御装置および印刷制御プログラムに関する。
【背景技術】
【０００２】
通信機器や通信ネットワーク網の発達により情報の発信、利用が容易になる一方で、著作権等の権利情報が設定されたデジタルデータの不正利用が増加している。利用者の過失の有無を問わず、許可されてないデジタルデータが不正に利用されることは好ましくないことから、著作権等の権利情報が設定されたデジタルデータの不正利用を防止する必要がある。
【０００３】
例えば、デジタルデータに設定された権利情報を著作権管理サーバ等で管理しておき、デジタルデータの利用の際に著作権管理サーバに問い合わせ、所定の操作がその権利情報を満たす操作であるかを判断して権利情報によって許可された操作である場合に、当該デジタルデータに対して所定の処理を可能とする方法がある。なお、一定の条件を満たさない場合には、処理を禁止することによって不正利用を防止している。
【０００４】
また、特許文献１に開示された従来技術では、コンピュータを用いた画像情報のダウンロードごとにその画像情報のプリント出力枚数を管理することにより、著作権等を有するような特定の画像情報を確実に保護できるようにしている。
【特許文献１】特開２０００−１５８７６１号公報
【発明の開示】
【発明が解決しようとする課題】
【０００５】
本発明は、操作認可情報が設定された画像データの印刷設定情報が前記操作認可情報に対する印刷条件を満たす場合に印刷出力を許可することで画像データに対して当該画像データの権利者の意図しない印刷出力が行われることを防止できるようにした印刷制御装置および印刷制御プログラムを提供することを目的とする。
【課題を解決するための手段】
【０００６】
上記目的を達成するため、請求項１の発明は、操作許可範囲を定めた操作認可情報が設定された画像データの印刷要求を受け付ける受付手段と、前記受付手段で受け付けた印刷要求に係わる画像データの印刷出力が当該操作認可情報に対する印刷設定情報の印刷条件を満たすかを判定する条件判定手段と、前記条件判定手段による判定結果に基づいて前記画像データの印刷出力を制御する印刷制御手段とを具備する。
【０００７】
また、請求項２の発明は、請求項１の発明において、前記印刷制御手段は、前記条件判定手段により前記画像データの印刷出力が前記印刷条件を満たすと判断された場合は、該画像データに設定された印刷設定情報による印刷出力を許可し、前記条件判定手段により前記画像データの印刷設定情報が前記印刷条件を満たさないと判断された場合は該画像データの印刷出力を禁止する制御を行う。
【０００８】
また、請求項３の発明は、請求項１の発明において、前記画像データの操作認可情報に対して前記印刷条件が設定されていない場合は、前記画像データの印刷出力を禁止する。
【０００９】
また、請求項４の発明は、請求項１の発明において、前記印刷条件は、印刷出力を許可するために満たさなければならない第１の印刷条件および印刷出力を許可するために満たしてはいけない第２の印刷条件が設定され、前記条件判断手段は、前記第１の印刷条件および前記第２の印刷条件の両者が成立した場合にのみ、該印刷条件を満たす印刷要求であると判定する。
【００１０】
また、請求項５の発明は、請求項１乃至４のいずれかの発明において、前記画像データ上の任意の表示位置に操作認可情報画像が表示され、前記印刷制御手段は、前記操作認可情報画像が前記画像データと重複しない場合に前記画像データの印刷出力を許可する。
【００１１】
また、請求項６の発明は、コンピュータを、操作許可範囲を定めた操作認可情報が設定された画像データの印刷要求を受け付ける受付手段、前記受付手段で受け付けた印刷要求に係わる画像データの印刷出力が当該操作認可情報に対する印刷設定情報の印刷条件を満たすかを判定する条件判定手段、前記条件判定手段による判定結果に基づいて前記画像データの印刷出力を制御する印刷制御手段として機能させる。
【発明の効果】
【００１２】
本発明の請求項１によれば、操作認可情報が設定された画像データの印刷設定情報が前記操作認可情報に対する印刷条件を満たす場合に印刷出力を許可することで画像データに対して当該画像データの権利者の意図しない印刷出力が行われることを防止できるようになるという効果を奏する。
【００１３】
また、請求項２によれば、画像データの印刷設定情報が印刷出力を満たす場合にのみ印刷出力が可能となり、当該画像データの権利者の意図しない印刷出力が行われることを防止できるようになるという効果を奏する。
【００１４】
また、請求項３によれば、印刷条件が規定されることにより印刷可能とし、画像データの印刷設定情報に対する印刷条件が規定されていない場合には印刷条件を満たさない場合と同様に印刷出力を禁止しているので、当該画像データの権利者の意図しない印刷出力が行われることを防止できるようになるという効果を奏する。
【００１５】
また、請求項４によれば、印刷条件全てを満たす場合に印刷出力を可能としているので、確実に当該画像データの権利者の意図しない印刷出力が行われることを防止できるようになるという効果を奏する。
【００１６】
また、請求項５によれば、操作認可情報に対する印刷条件に基づく印刷出力を可能になるという効果を奏する。
【００１７】
また、請求項６によれば、操作認可情報が設定された画像データの印刷設定情報が前記操作認可情報に対する印刷条件を満たす場合に印刷出力を許可することで画像データに対して当該画像データの権利者の意図しない印刷出力が行われることを防止できるようになるという効果を奏する。
【発明を実施するための最良の形態】
【００１８】
以下、本発明に係わる印刷制御装置および印刷制御プログラムの一実施例を添付図面を参照して詳細に説明する。
【実施例】
【００１９】
図１は、本発明の実施の形態における印刷制御装置および印刷制御プログラムを適用して構成した印刷制御システムのシステム構成図の一例である。
【００２０】
図１において、本印刷制御システムは、プリントサーバ１０１、ライセンス情報管理サーバ１０２、クライアントＰＣ１０３、印刷装置１０４を具備して構成され、各装置同士は電気通信回線を介して接続されている。なお、プリントサーバ１０１とライセンス情報管理サーバ１０２で行われる処理を同一の装置により実現するような構成であってもよい。この場合、プリントサーバ１０１とライセンス情報管理サーバ１０２を「プリントシステム１００」と表す。すなわち、プリントシステム１００、クライアントＰＣ１０３、印刷装置１０４とが接続された構成となる。
【００２１】
クライアントＰＣ１０３は、印刷装置１０４に対して印刷要求を行う印刷要求元である。このクライアントＰＣ１０３では、インストールされた所定のアプリケーションを用いて生成した電子文書から印刷出力形式の画像データを作成し、その画像データに印刷設定情報を設定する。印刷設定情報は、画像データの印刷出力形態を示す情報であり、印刷装置１０４ではこの印刷設定情報に基づいて印刷出力を行う。また、この画像データは出力先の印刷装置１０４における印刷出力形式によって形成され、「印刷ジョブ」とも示される。
【００２２】
このクライアントＰＣ１０３で、印刷設定情報が設定された画像データの印刷要求を行うと、出力先の印刷装置１０４に対する印刷制御を行うプリントサーバ１０１（「印刷制御装置１０１」ともいう）に画像データが転送される。
【００２３】
プリントサーバ１０１は、画像データの印刷設定情報が該画像データに対するライセンス情報が示す印刷条件を満たすかを判定し、印刷設定情報が印刷条件を満たす場合にその印刷設定情報による画像データの印刷出力を可能とする印刷制御を行う。プリントサーバ１０１では、まず、クライアントＰＣ１０３から画像データの印刷要求を受信すると、その画像データに対するライセンス情報をライセンス情報管理サーバ１０２に要求する。このライセンス情報は、操作認可情報とも示し、印刷設定情報により印刷条件が変動するような属性を含んだ情報である。
【００２４】
ライセンス情報管理サーバ１０２は、印刷要求元のクライアントＰＣ若しくはクライアントＰＣ１０３を操作する操作者（「ユーザ」ともいう）に対して画像データを操作する権利や権限に関するライセンス情報を管理している。
【００２５】
プリントサーバ１０１からライセンス情報の要求を受け付けたライセンス情報管理サーバ１０２では、対応するライセンス情報を要求元のプリントサーバ１０１に応答する。プリントサーバ１０１では、取得したライセンス情報に対する印刷条件を特定し、画像データに設定された印刷設定情報がその印刷条件を満たすかの条件判定を行う。
【００２６】
この条件判定の処理により印刷条件を満たす印刷設定情報である場合には、画像データの印刷出力を許可して印刷装置１０４に画像データの印刷指示を行う。それに対して、条件判定の処理によって印刷条件を満たさない印刷設定である場合には、画像データの印刷出力を禁止して印刷要求元であるクライアントＰＣ１０３に、印刷条件を満たさない印刷設定情報が設定されている旨を示すエラー情報を通知する。
【００２７】
印刷装置１０４は、プリントサーバ１０１から印刷指示が行われることにより、画像データに設定された印刷設定情報に基づいて印刷出力を行う。
【００２８】
なお、上記では画像データに対するライセンス情報がライセンス情報管理サーバ１０２で管理された構成を示すが、これに限定されることはなく、画像データの設定情報としてライセンス情報が指定されているほか、ライセンス情報を示すライセンス情報画像が印刷要求された画像データ上に表示されている場合、ライセンス情報画像が電子透かしデータとして示されている場合、その他の形態で画像データに埋め込まれている場合であってもよい。
【００２９】
このライセンス情報画像は、画像データを構成する文字や記号その他の構成要素と重複しないように配置され、表示されている。図３に示す画像データの元となる電子文書の例では、ライセンス情報としてクリエイティブ・コモンズを用いた場合の例を示しており、この画像データを電子文書の右下に、画像データの構成要素と重複しないように配置され、表示されている。
【００３０】
プリントサーバ１０１の詳細な構成を図２に示し、以下で説明する。
【００３１】
図２は、本発明の実施の形態における印刷制御装置（プリントサーバ１０１）の詳細な構成を示すブロック図である。
【００３２】
図２において、プリントサーバ１０１は、印刷要求送受信部１０、画像データ制御部１１、画像データ記憶部１２、印刷制御部１３、画像形成部１４、条件判定部１５、ライセンス情報管理部１６、ライセンス情報取得部１７、印刷条件管理部１８を具備して構成される。
【００３３】
クライアントＰＣ１０３から印刷要求された画像データを印刷要求送受信部１０で受信すると、受信した画像データを画像データ制御部１１に転送する。画像データ制御部１１では、受信した画像データを解析して画像データに設定された印刷設定情報、印刷要求元の情報を認識することでその印刷設定情報、印刷要求元の情報を条件判定部１５へと転送する。さらに、画像データ制御部１１では、受信した画像データを画像データ記憶部１２に記憶する。
【００３４】
条件判定部１５は、その印刷設定情報が、印刷要求された画像データのライセンス情報に対する印刷条件を満たすものであるかの条件判定を行う。そのため、条件判定部１５では、印刷要求元の情報に対するライセンス情報をライセンス情報取得部１７に要求し、ライセンス情報取得部１７がライセンス情報管理部１６からライセンス情報を取得することにより当該ライセンス情報に対する印刷条件を印刷条件管理部１８から取得する。
【００３５】
なお、条件判定部１５では、印刷条件管理部１８からライセンス情報に対する印刷条件が規定され、取得できたかを判断して取得できない場合にはその旨を画像データ制御部１１に応答する。
【００３６】
ライセンス情報取得部１７は、印刷要求元の情報に対するライセンス情報をライセンス情報管理部１６から検索し、該当するライセンス情報の取得を行う。このライセンス情報管理部１６は、印刷要求元の情報、例えば要求元の装置を識別する装置識別情報や印刷要求操作を行ったユーザのユーザ識別情報に対応付けてライセンス情報を管理する。
【００３７】
ライセンス情報取得部１７によりライセンス情報が取得され、当該ライセンス情報に対する印刷条件を検索できた場合に、条件判定部１５では、印刷要求された画像データの印刷設定情報がその印刷条件を満たすか条件判定を行う。印刷設定情報が印刷条件を満たす場合、条件判定部１５は、印刷制御部１３に印刷設定情報および印刷指示を行う。
【００３８】
印刷制御部１３では、画像データ記憶部１２に記憶するその印刷設定情報に基づく印刷要求がされた画像データを取得し、画像処理部１４でその画像データの画像処理を行い、指定された印刷装置に印刷指示する。
【００３９】
それに対して、条件判定処理により印刷設定情報が印刷条件を満たさない場合には、その旨を画像データ制御部１１に応答し、画像データ制御部１１は、印刷要求送受信部１０を介して印刷要求元のクライアントＰＣ１０３にその旨を通知する。
【００４０】
ここで、印刷条件管理部１８で管理する印刷条件の一例を以下に示す。以下に示す印刷条件は、ＸＭＬ（eXtensible Markup Language）形式からなる。
【００４１】
01 <licenseConstraintCondition>
02  <licenceFormat>
03   <name>Creative Commons License</name>
04   <version>3.0</version>
05  </licenceFormat>
06  <printParameter>
07   <satisfied>
08    <colorspace attribute = "above">
09     <value>fullcolor</value>
10    </colorspace>
11   </satisfied>
12   <satisfied>
13    <resolution attribute = "above">
14     <value>400</value>
15     <unit>dpi</unit>
16    </resolution>
17   </satisfied>
18  </printParameter>
19  <forbiddenArea>
20   <offset>bottomRight</offset>
21   <height>50</height>
22   <width>-100</width>
23   <unit>mm</unit>
24  </forbiddenArea>
25 </licenseConstraintCondition>
この印刷条件は、０２行目から０５行目の＜licenceFormat＞タグでこの印刷条件を適用するライセンス情報を識別するライセンス識別情報を示し、０６行目から１８行目の＜PrintParameter＞タグで、印刷出力に際して満たすべき印刷設定情報の印刷条件を示し、１９行目から２４行目の＜forbiddenArea＞タグでライセンス情報画像の表示位置（掲示位置）を示している。
【００４２】
０２行目から０５行目に示すライセンス情報を識別するライセンス識別情報として、０３行目にライセンス情報の名称である「Creative Commons License」を示し、０４行目にライセンス情報の版番号を示している。
【００４３】
また、０６行目から１８行目に示す印刷条件の内容として、１つ目の印刷条件を０７行目から１１行目に示し、２つ目の印刷条件を１２行目から１７行目に示している。１つ目の印刷条件として印刷設定情報の配色情報が「フルカラー」以上であることを示し、２つ目の印刷条件としてい印刷設定情報の印刷解像度が「400dpi」以上であることを示している。これらの印刷条件全てを満たす場合に、印刷条件を満たすと判断する。
【００４４】
さらに、１９行目から２４行目に示すライセンス情報の表示位置の情報として、文書の右下から高さ「５０ｍｍ」、幅「１００ｍｍ」に示されていることを表す。
【００４５】
このような印刷条件の設定情報は、「Creative Commons License」という名称のライセンス情報が設定された文書には０６行目から１８行目に示される印刷条件を満たす場合に印刷処理が可能であることを示し、また、１９行目から２４行目の範囲にライセンス情報画像が表示されていることが必要であることを示している。
【００４６】
例えば、画像データの印刷設定情報として、「400dpi」以下の解像度で印刷出力することが指定されている場合や白黒で印刷出力が指定されている場合、さらにはこれら両方の条件が指定されている場合には、上記の印刷条件を満たさないと判定され、印刷出力を禁止する。
【００４７】
上記するような印刷条件は、図４に示すような画面を用いて設定可能であって、設定された印刷条件は印刷条件管理部１８に保存されて管理される。
【００４８】
図４に示す画面は、ライセンス情報に対応する印刷条件を設定する画面である。
【００４９】
[ライセンス情報選択]項目４０１は、印刷条件を設定するライセンス情報を指定する項目であって、図４に示す例では「Creative Commons」というライセンス識別情報が示されている。このライセンス識別情報に対するライセンス情報の印刷条件を[印刷条件設定]項目４０２で設定する。
【００５０】
[印刷条件設定]項目４０２では、印刷条件として配色情報、印刷解像度、印刷倍率、フォームが指定可能であって、図４に示す例では、配色情報が「フルカラー以上」である場合に印刷条件を「満たす」ことが指定されている。また、印刷解像度が「400dip」以上である場合に印刷条件を「満たす」ことが指定されている。
【００５１】
また、ライセンス情報画像の配置位置として、オフセットが「右下」であり、ライセンス情報画像の高さが「50」で幅が「100」であることを示している。
【００５２】
このように設定してＯＫボタン４０４を押下すると図２に示す印刷条件管理部１８に印刷条件が保存されて管理される。
【００５３】
図５は、本発明の実施の形態における印刷制御システムで行われる処理の詳細な流れを示すフローチャートである。
【００５４】
図５において、ライセンス情報が設定された文書に対する画像データの印刷要求が行われると処理が開始され、印刷要求された画像データを受信する（５０１）。この画像データには印刷設定情報が設定されており、まず、受信した画像データに設定された印刷設定情報を識別する（５０２）。すなわち、印刷設定情報の印刷パラメータに対して設定された設定値を識別する。
【００５５】
次に、印刷要求された画像データに設定されたライセンス情報を取得し（５０３）、取得したライセンス情報に対して指定された印刷条件を特定する（５０４）。この処理によりライセンス情報に対する印刷条件が特定できたかを判断し（５０５）、ライセンス情報に対する印刷条件が登録されていない等により印刷条件が特定されない場合（５０５でＮＯ）には、印刷要求元に印刷条件が登録されていないことを示すエラー通知を行う（４１１）。
【００５６】
また、ライセンス情報に対する印刷条件が特定された場合（５０５でＹＥＳ）、例えば取得したライセンス情報が「Creative Commons License」である場合には上記に示すＸＭＬ形式の印刷条件の設定情報から０６行目から１８行目の＜PrintParameter＞タグで示される情報が印刷条件として特定される。
【００５７】
続いて、識別した印刷設定情報がその特定した印刷条件を満たすかを判定する（５０６）。
【００５８】
この判定処理の結果、印刷条件を満たす印刷設定情報であるかを判断し（５０７）、印刷設定情報が印刷条件を満たさない場合（５０７でＮＯ）には、画像データの印刷処理を停止するエラー処理を行う（５１２）。
【００５９】
また、印刷設定情報が印刷条件を満たす場合（５０７でＹＥＳ）には、続いて、その印刷条件で指定された指定位置に付与された権利情報と画像データの構成要素とが重複するかを判定する（５０８）。この判定した結果、重複するかを判断して（５０９）重複する場合（５０９でＹＥＳ）には、ライセンス情報画像に重複してしまうことを印刷要求元に示すエラー通知を行う（５１１）。
【００６０】
それに対して、画像データとライセンス情報画像とが重複しないと判断される場合（５０９でＮＯ）には、識別した印刷設定情報に基づいて画像データの印刷処理を行う（５１０）。
【００６１】
図６は、本発明の実施の形態における印刷制御システムで行われる処理の詳細な流れを示す他のフローチャートである。
【００６２】
図６は、図４に示すフローチャートと類似し、図５と同様、ライセンス情報が設定された文書に対する画像データの印刷要求が行われると処理が開始される。
【００６３】
まず、印刷要求された画像データを受信し（５０１）、受信した画像データに設定された印刷設定情報を識別する（５０２）。すなわち、印刷設定情報の印刷パラメータに対して設定された設定値を識別する。
【００６４】
また、印刷要求された画像データに設定されたライセンス情報を取得し（５０３）、取得したライセンス情報に対して指定された印刷条件を特定する（５０４）。この処理によりライセンス情報に対する印刷条件が特定されたかを判断し（５０５）、ライセンス情報に対する印刷条件が登録されていない等により印刷条件が特定されない場合（５０５でＮＯ）には、印刷要求元に印刷条件が登録されていないことを示すエラー通知を行う（５１１）。
【００６５】
また、ライセンス情報に対する印刷条件が特定された場合（５０５でＹＥＳ）、例えば取得したライセンス情報が「Creative Commons License」である場合には上記に示すＸＭＬ形式の印刷条件の設定情報から０６行目から１８行目の＜PrintParameter＞タグで示される情報が印刷条件として特定される。
【００６６】
続いて、識別した印刷設定情報がその特定した印刷条件を満たす印刷設定情報であるか否かを判定する（５０６）。この判定処理の結果、印刷条件を満たす印刷設定情報であるかを判断し（５０７）、印刷設定情報が印刷条件を満たす場合（５０７でＹＥＳ）には、続いて、その印刷条件で指定された指定位置に付与されたライセンス情報画像と画像データとが重複するかを判定する（５０８）。
【００６７】
この判定した結果、重複するかを判断して（５０９）重複すると判断する場合（５０９でＹＥＳ）には、ライセンス情報画像と重複してしまう画像データであることを印刷要求元に示すエラー通知を行う（５１１）。
【００６８】
また、画像データと権利情報とが重複しない場合（５０９でＮＯ）には、識別した印刷設定情報に基づいて画像データの印刷処理を行う（５１０）。
【００６９】
それに対して、印刷設定情報が印刷条件を満たさない場合（５０７でＮＯ）には、印刷条件を満たさない印刷設定情報の印刷パラメータを印刷条件で指定された設定値に変更した印刷設定情報で画像データの印刷処理を行うか否かを印刷要求元に問い合わせる（６０１）。
【００７０】
この問合せに対する応答が、その変更後の印刷設定情報に基づいて印刷処理を実行する旨の内容であるかを判断する（６０２）。変更後の印刷設定情報に基づいて印刷処理を実行することが示されている場合（６０２でＹＥＳ）には、上記のステップ５０９以降の処理を行う。
【００７１】
また、変更後の印刷設定情報に基づいて印刷処理を実行することが示されていない場合（６０２でＮＯ）には、印刷要求元に印刷できない旨のエラー通知を行う（６０３）。
【００７２】
本発明は、上記し、且つ図面に示す実施例に限定することなく、その要旨を変更しない範囲内で適宜変形して実施できるものである。
【図面の簡単な説明】
【００７３】
【図１】本発明の実施の形態における印刷制御装置および印刷制御プログラムを適用して構成した印刷制御システムのシステム構成図の一例。
【図２】本発明の実施の形態における印刷制御装置および印刷制御プログラムを適用して構成した印刷制御システムの機能構成を示すブロック図。
【図３】ライセンス情報が設定された文書の一例を示す図。
【図４】ライセンス情報を設定する画面の一例を示す図。
【図５】本発明の実施の形態における印刷制御システムで行われる処理の詳細な流れを示すフローチャート。
【図６】本発明の実施の形態における印刷制御システムで行われる処理の詳細な流れを示す他のフローチャート。
【符号の説明】
【００７４】
１０        印刷要求送受信部
１１        画像データ制御部
１２        画像データ記憶部
１３        印刷制御部
１４        画像形成部
１５        ライセンス条件判定部
１６        ライセンス情報格納部
１７        ライセンス情報取得部
１８        印刷条件管理部
１０１      プリントサーバ
１０２      ライセンス情報管理サーバ
１０３      クライアントＰＣ
１０４      画像形成装置
【図１】
2010066977.tif 000003
【図２】
2010066977.tif 000004
【図３】
2010066977.tif 000005
【図４】
2010066977.tif 000006
【図５】
2010066977.tif 000007
【図６】
2010066977.tif 000008